(57)【要約】【課題】ガタ規制部の数を減らすと共に、ガタ規制部に必要な精度を下げることができるようにする。【解決手段】矩形状孔部３と、矩形状孔部３へ挿入可能な矩形状挿入部４との間に形成される僅少な間隙部５に、ガタ規制部２１を設けたガタ規制部構造であって、ガタ規制部２１が、矩形状孔部３の対向する二面に設けられたコ字状凹部２２と、矩形状挿入部４の対応する部分にそれぞれ設けられて、上底部がコ字状凹部２２へ挿入可能で且つ下底部がコ字状凹部２２の間口部の間隔よりも若干大きな寸法を有する台形状凸部２３とを備えるようにしている。【選択図】図１
2008053141.tif 000002
【特許請求の範囲】
【請求項１】
矩形状孔部と、該矩形状孔部へ挿入可能な矩形状挿入部との間に形成される僅少な間隙部に、ガタ規制部を設けたガタ規制部構造において、
前記ガタ規制部が、前記矩形状孔部の対向する二面に設けられたコ字状凹部と、矩形状挿入部の対応する部分にそれぞれ設けられて、上底部がコ字状凹部へ挿入可能で且つ下底部がコ字状凹部の間口部の間隔よりも若干大きな寸法を有する台形状凸部とを備えたことを特徴とするガタ規制部構造。
【発明の詳細な説明】
【技術分野】
【０００１】
この発明は、ガタ規制部構造に関するものである。
【背景技術】
【０００２】
自動車などの車両には、車室内に各種のスイッチ部品が設けられている（例えば、特許文献１参照）。このようなスイッチ部品には、図３、図４に示すように、ベース部１と、このベース部１に取付けられるスイッチノブ部２とを備えたものが存在する。
【０００３】
そして、ベース部１には、矩形状孔部３が形成され、スイッチノブ部２には、この矩形状孔部３へ挿入可能な矩形状挿入部４が設けられている。矩形状孔部３と矩形状挿入部４との間には全周に亘って僅少な間隙部５が形成される。この間隙部５に対し、ガタ規制部６が設けられる。
【０００４】
このガタ規制部６は、図５に示すように、矩形状孔部３の各面に設けられたコ字状凹部１１と、矩形状挿入部４の対応する部分にそれぞれ設けられた矩形状凸部１２とを備えている。矩形状凸部１２はコ字状凹部１１とほぼ対応する形状を有しており、ガタ規制を行うために、深さ方向に対しては、０．４ｍｍ〜０．７ｍｍの隙間ａを有し、且つ、横方向に対しては、０．０２５ｍｍ〜０．０７５ｍｍの隙間ｂを有するように形成されている。なお、スイッチノブ部２は、上記した隙間精度を確保するため、比較的硬質のＰＣ材などによって構成されている。
【特許文献１】実公平４−３６５１０号公報
【発明の開示】
【発明が解決しようとする課題】
【０００５】
しかしながら、上記ガタ規制部構造では、コ字状凹部１１に対する矩形状凸部１２の隙間ａ，ｂが微小であるため、製造用の金型に高い精度が要求され、その分、金型費用や金型工期がかかるなどの問題があった。
【課題を解決するための手段】
【０００６】
上記課題を解決するために、請求項１に記載された発明では、矩形状孔部と、該矩形状孔部へ挿入可能な矩形状挿入部との間に形成される僅少な間隙部に、ガタ規制部を設けたガタ規制部構造において、前記ガタ規制部が、前記矩形状孔部の対向する二面に設けられたコ字状凹部と、矩形状挿入部の対応する部分にそれぞれ設けられて、上底部がコ字状凹部へ挿入可能で且つ下底部がコ字状凹部の間口部の間隔よりも若干大きな寸法を有する台形状凸部とを備えたガタ規制部構造を特徴としている。
【発明の効果】
【０００７】
請求項１の発明によれば、ガタ規制部が、前記矩形状孔部の対向する二面に設けられたコ字状凹部と、矩形状挿入部の対応する部分にそれぞれ設けられて、上底部がコ字状凹部へ挿入可能で且つ下底部がコ字状凹部の間口部の間隔よりも若干大きな寸法を有する台形状凸部とを備えたことにより、コ字状凹部の間口部と台形状凸部の斜辺との間の点当りを利用して二方向に対するガタ規制を同時に行わせることができるようになり、ガタ規制部の数を減らすと共に、ガタ規制部に必要な精度を下げることが可能となる。よって、製造用の金型に対する要求精度が低くなり、その分、金型費用を抑えて金型工期を短くすることが可能となる。また、コ字状凹部の間口部と台形状凸部の斜辺との間を点当りとしているため、両者間の接触抵抗が減るので、材質を摺動に優位なＰＯＭ材などとすることにより、グリースレス化を図ることができる。更に、ガタ規制部の数が減ることにより、前記矩形状孔部に対して矩形状挿入部を大きくすることができ、これにより、矩形状挿入部を照明用空間などとして利用しているような場合に、照明範囲を拡大することが可能となる。
【発明を実施するための最良の形態】
【０００８】
以下、本発明を具体化した実施例について、図示例と共に説明する。
【実施例】
【０００９】
図１、図２は、この発明の実施例を示すものである。なお、スイッチ部品の基本的な構成については、ガタ規制部６を除き、上記と同様であるため、説明に図３、図４を用いるものとする。
【００１０】
まず、構成について説明する。自動車などの車両には、車室内に各種のスイッチ部品が設けられている。このようなスイッチ部品には、図３、図４に示すように、ベース部１と、このベース部１に取付けられるスイッチノブ部２とを備えたものが存在する。
【００１１】
そして、ベース部１には、矩形状孔部３が形成され、スイッチノブ部２には、その下部に、矩形状孔部３へ挿入可能な矩形状挿入部４が設けられている。ここで、矩形状孔部３は、４つの角部が直角で平面視長方形状をした角筒体とされている。また、矩形状挿入部４は、矩形状孔部３と同様に、４つの角部が直角で平面視長方形状をした角筒体とされている。なお、矩形状孔部３の奥部には、特に図示しないが、照明用素子を有する基板などが配設されている。
【００１２】
また、矩形状孔部３と矩形状挿入部４との間には、全周に亘って僅少な間隙部５が形成される。即ち、矩形状挿入部４は、矩形状孔部３よりも一回り小さな相似形を呈しており、これにより、両者間に上記間隙部５が形成される。
【００１３】
この間隙部５に対し、ガタ規制部２１が設けられる。
【００１４】
そして、以上のような基本構成に対し、この実施例のものでは、図１、図２に示すように、ガタ規制部２１が、矩形状孔部３の対向する二面に設けられたコ字状凹部２２と、矩形状挿入部４の対応する部分にそれぞれ設けられて、上底部がコ字状凹部２２へ挿入可能で且つ下底部がコ字状凹部２２の間口部の間隔よりも若干大きな寸法を有する台形状凸部２３とを備えている。
【００１５】
ここで、コ字状凹部２２は、矩形状孔部３の内面部分に凹設形成されている。このコ字状凹部２２は、矩形状孔部３に対する矩形状挿入部４の挿入方向（即ち、角筒体の軸線方向）へ延びる凹溝とされている。この凹溝は、その長手方向に対して均一の断面形状を有している。
【００１６】
また、台形状凸部２３は、矩形状挿入部４の外面部分に一体に突設形成されている。この台形状凸部２３は、上記挿入方向へ延びる突条とされている。この突条は、その長手方向に対して均一の断面形状を有している。また、台形状凸部２３は、先細りの台形状とされている。台形状凸部２３は、矩形状挿入部４の外面に対して、間隙部５の間隔と等しい距離だけ離れた位置における両斜辺間の幅寸法が、コ字状凹部２２の間口部とほぼ等しくなるように設定されている。また、台形状凸部２３は、その突出量が、間隙部５の間隔と、コ字状凹部２２の奥行寸法との和よりも若干小さくなるように設定されている。
【００１７】
なお、スイッチノブ部２を、ＰＣ材と比べて比較的軟質のＰＯＭ材などで形成する。
【００１８】
次に、この実施例の作用について説明する。
【００１９】
この実施例によれば、ガタ規制部２１が、矩形状孔部３の対向する二面に設けられたコ字状凹部２２と、矩形状挿入部４の対応する部分にそれぞれ設けられて、上底部がコ字状凹部２２へ挿入可能で且つ下底部がコ字状凹部２２の間口部の間隔よりも若干大きな寸法を有する台形状凸部２３とを備えたことにより、コ字状凹部２２の間口部と台形状凸部２３の斜辺との間の点当りを利用して二方向に対するガタ規制を同時に行わせることができるようになり、ガタ規制部２１の数を減らすと共に、ガタ規制部２１に必要な精度を下げることが可能となる。よって、製造用の金型に対する要求精度が低くなり、その分、金型費用を抑えて金型工期を短くすることが可能となる。
【００２０】
また、コ字状凹部２２の間口部と台形状凸部２３の斜辺との間を点当りとしているため、両者間の接触抵抗が減るので、材質を摺動に優位なＰＯＭ材などとすることにより、グリースレス化を図ることができる。
【００２１】
更に、ガタ規制部２１の数が減ることにより、矩形状孔部３に対して矩形状挿入部４を大きくすることができ、これにより、矩形状挿入部４を照明用空間などとして利用しているような場合に、照明範囲を拡大することが可能となる。
【００２２】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、複数の実施例や変形例が示されている場合には、これらの可能な組合せが含まれることは勿論である。
【図面の簡単な説明】
【００２３】
【図１】本発明の実施例にかかるガタ規制部構造の平面図である。
【図２】図１の部分拡大図である。
【図３】スイッチ部品の分解斜視図である。
【図４】図３の矩形状孔部周辺の断面図である。
【図５】図４の部分拡大図である。
【符号の説明】
【００２４】
３    矩形状孔部
４    矩形状挿入部
５    間隙部
２１  ガタ規制部
２２  コ字状凹部
２３  台形状凸部
【図１】
2008053141.tif 000003
【図２】
2008053141.tif 000004
【図３】
2008053141.tif 000005
【図４】
2008053141.tif 000006
【図５】
2008053141.tif 000007